(57)【要約】【課題】  経験、熟練等を必要とせずに、魚の口腔の深くに刺さった釣針でも魚を損傷させることなく簡単に外すことである。【解決手段】  釣り上げた魚Ｆの口腔Ｆａ内に刺さっている釣針Ｈを棒状の釣針外し具Ａを用いて外す方法であって、魚Ｆの口腔Ｆａ内に前記釣針外し具Ａを挿入した後に、釣糸Ｌが素抜けない状態にして前記釣針外し具Ａを回転させて、釣糸Ｌにおける釣針Ｈから遠い部分から順次外し具Ａに巻回させて、釣針Ｈの軸部Ｈａを釣針外し具Ａに対して交差状態で当てがった状態にすることにより、前記釣針外し具Ａを中心にして釣針Ｈを回動させて外す。【選択図】        図３
2005304351.tif 000002
【特許請求の範囲】
【請求項１】
釣り上げた魚の口腔内に刺さっている釣針を棒状の釣針外し具を用いて外す方法であって、
魚の口腔内に前記釣針外し具を挿入した後に、釣糸が素抜けない状態にして前記釣針外し具を回転させて、釣糸における釣針から遠い部分から順次釣針外し具に巻回させて、釣針の軸部を釣針外し具に対して交差状態で当てがった状態にすることにより、前記釣針外し具を中心にして釣針を回動させて外すことを特徴とする釣針外し方法。
【請求項２】
魚の口腔内に挿入した状態で回転させることにより、釣針から起算して所定長の部分の釣糸を螺旋状に巻回させる釣糸巻回部と、前記釣糸の巻回時に釣糸が素抜けるのを防止する素抜け防止部とを備えていることを特徴とする釣針外し具。
【請求項３】
前記釣糸巻回部の横断面形状は、各コーナー部がアール面取りされた方形状であることを特徴とする請求項２に記載の釣針外し具。
【発明の詳細な説明】
【技術分野】
【０００１】
本発明は、釣り上げた魚から釣針を簡単に外す方法、及び釣針外し具に関するものである。
【背景技術】
【０００２】
従来の釣針外し具としては、釣り上げた魚の口腔内に挿入して、前記口腔内において釣針を探してこれに引っ掛け、その後に釣針外し具を魚の口腔の奥側に押し込む操作により、釣針を外す構成のものが主流であった。しかし、この方法では、魚の口腔内において釣針の位置を探すのが難しく（釣針を深く呑み込んだ場合には、特に難しい）、探し得たとしても、口腔の肉部に刺さっている釣針を単に奥方に押し込むのみであるので、釣針の「モドリ」が邪魔して容易には外せないと共に、仮に外すことができたとしても、魚の口腔内で何回も釣針外し具を前後動させたりするので、釣り上げた魚を損傷させてしまう。
【０００３】
上記不具合に鑑み、特許文献１には、棒状本体の先端部に、二重に折り返された釣糸に導きの糸を挿入して、この導きの糸を引っ張ることにより釣針の釣胴部を嵌入させるための支点孔が形成された釣針外し具が開示されている。上記のようにして支点孔に嵌入された釣針は、釣針外し具の全体を軸回りに回動させることにより、魚の口腔の肉部から釣針を外している。
【０００４】
しかし、上記釣針外し具では、釣針が魚の口腔の入口に近い部分に刺さっている場合には、外すことができるが、奥深く呑み込まれた釣針の場合には、釣針外し具を上記のように回す操作も容易にはできないので、結局、釣針を外すのが最も難しい場合において、目的を達成し得ない。
【特許文献１】特開平８−１１６８５２号公報
【発明の開示】
【発明が解決しようとする課題】
【０００５】
本発明は、経験、熟練等を必要とせずに、魚の口腔の深くに刺さった釣針でも魚を損傷させることなく簡単に外すことを課題としている。
【課題を解決するための手段】
【０００６】
上記の課題を解決するための請求項１の発明は、釣り上げた魚の口腔内に刺さっている釣針を棒状の釣針外し具を用いて外す方法であって、魚の口腔内に前記釣針外し具を挿入した後に、釣糸が素抜けない状態にして前記釣針外し具を回転させて、釣糸における釣針から遠い部分から順次外し具に巻回させて、釣針の軸部を釣針外し具に対して交差状態で当てがった状態にすることにより、前記釣針外し具を中心にして釣針を回動させて外すことを特徴としている。
【０００７】
請求項１の発明によれば、釣糸の素抜けを防止した状態で、魚の口腔内に挿入した釣針外し具を回転させると、魚の口腔の外部及び内部において弛んでいる釣糸は、釣針外し具に螺旋状となって巻回されることにより、魚の口腔内における釣糸の弛みが吸収される。魚の口腔内の釣糸の弛みは、釣針外し具の回転により釣針から離れた部分から順次釣針外し具に螺旋状となって巻回され、釣針の近辺の釣糸が釣針外し具に巻回されると、釣針は、その軸部が釣針外し具の側に引き寄せられて釣針外し具に対して交差姿勢になると共に、釣針の軸部が前記交差姿勢になる際に、横断面視において、釣針は、その軸部と針先との間に釣針外し具が相対的に配置されるように、釣針外し具に対して姿勢変更される。釣針外し具に対して釣針が上記姿勢になった後においては、釣針は釣針外し具と恰も一体となり、釣針外し具を同方向に継続して回すと、釣針は、恰も人手により外されるように、釣針外し具を中心にして回される。これにより、魚の口腔内に刺さった釣針は、口腔内の深さとはほぼ無関係に釣針外し具の上記外し操作によって簡単に外される。なお、釣針外し具には、弛んだ釣糸を巻回させる際に素抜けるのを防止するための素抜け防止部を設けておくことが望ましい。
【０００８】
また、請求項２の発明は、請求項１の発明を実施するための釣針外し具であって、魚の口腔内に挿入した状態で回転させることにより、釣針から起算して所定長の部分の釣糸を螺旋状に巻回させる釣糸巻回部と、前記釣糸の巻回時に釣糸が素抜けるのを防止する素抜け防止部とを備えていることを特徴としており、その作用は、上記した通りである。
【０００９】
また、請求項３の発明は、請求項２の発明において、釣針外し具の横断面形状は、各コーナー部がアール面取りされた方形状であることを特徴としていて、平面部を有しているので、釣針の軸部を安定した姿勢で当接させられる。このため、釣針外し具を中心として釣針を回す際に、釣針外し具の平面部に対して釣針の軸部が安定して当接しているため、釣針外し具に対する釣針の上記当接姿勢が崩されることなく、魚の口腔内の肉部から釣針を確実に外すことができる。
【発明の効果】
【００１０】
本発明によれば、釣り上げた魚の口腔内に挿入した釣針外し具を回転させて、釣針から起算して所定長の部分の前記口腔内の釣糸を前記釣針外し具に螺旋状に巻回することにより、魚の口腔内に刺さっている釣針の軸部を釣針外し具と交差した姿勢にした後においては、釣針は釣針外し具と恰も一体となり、更に釣針外し具を回転させると、魚の口腔内に刺さっている釣針は、釣針外し具を中心に回るために、魚を損傷させることなく容易に外される。このため、口腔の奥深く呑み込まれた釣針をも経験、熟練等を要しないで簡単に外すことができる。
【発明を実施するための最良の形態】
【００１１】
以下、本発明の最良の実施例を複数挙げて、本発明を更に詳細に説明する。
【実施例１】
【００１２】
図１は、本発明に係る釣針外し具Ａに、釣針Ｈから起算して所定長の部分の釣糸Ｌが螺旋状に巻回された状態の斜視図である。図２−Ａ（イ）は、釣り上げられた魚Ｆの口腔Ｆａ内に釣針外し具Ａを挿入した状態の模式図であり、同（ロ）は、魚Ｆの口腔Ｆａ内に挿入された外し具Ａを回転させて、釣針Ｈから起算して所定長の部分の釣糸Ｌを釣針外し具Ａに螺旋状に巻回させた状態の模式図である。図２−Ｂ（ハ）は、釣針Ｈから起算して所定長の釣糸Ｌの全てが釣針外し具Ａに巻回されて、釣針Ｈの軸部Ｈａが釣針外し具Ａに対して交差を開始した状態の模式図であり、同（ニ）は、同じくほぼ直交して交差した状態の模式図である。図３（イ）は、釣針外し具Ａを中心にして釣針Ｈが回転を開始した状態の模式的横断面図であり、同（ロ）は、釣針Ｈが外れる直前の模式的断面図であり、同（ハ）は、釣針Ｈが外れた状態の模式的断面図である。
【００１３】
図１において、釣針外し具Ａは、樹脂等により成形されて、釣針Ｈから起算して所定長の部分の釣糸Ｌを螺旋状にして巻回するための釣糸巻回部１と、該釣糸巻回部１の基端部に連続して設けられた断面円形の操作部２と、釣糸Ｌを挿入することにより前記釣糸Ｌの素抜けを防止するために、前記釣糸巻回部１の基端に近い部分に設けられた素抜け防止部３とを備えている。釣糸巻回部１は、各コーナー部がアール面取りされた横断面が方形状をした棒状をなしていて、その先端の挿入部１ａは残りの部分に比較して細くなっていて、挿入部１ａの先端は、魚Ｆの口腔Ｆａに挿入する際にその損傷を防止するためにアール面取りされている。素抜け防止部３は、釣糸巻回部１の平面部１ｂに突出して形成されて、開口角度が小さなＶ字状の釣糸挿入溝４が形成されている。
【００１４】
ここで、釣糸巻回部１の横断面を方形状にして、その外面に平面部１ｂを形成したのは、釣針Ｈのほぼ直線状の軸部Ｈａを安定して当接可能にするためであり、釣針Ｈに対する釣糸巻回部１の横断面の寸法は、釣り上げた魚Ｆの損傷を防止する観点からして、釣針Ｈの軸部Ｈａを安定して当接させられて、釣針外し具Ａの回転時において、該釣針外し具Ａから釣針Ｈが外れることなく、一体となって回り得る最小寸法であることが望ましい。また、釣糸巻回部１の外周面は、巻回される釣糸Ｌの滑りを防止するために粗面加工を施すことが望ましい。
【００１５】
そして、上記釣針外し具Ａを使用して、釣り上げた魚Ｆの口腔Ｆａ内の肉部Ｆｂに刺さっている釣針Ｈを外すには、以下のようにして行う。まず、図２−Ａ（イ）に示されるように、釣針外し具Ａの素抜け防止部３の釣糸挿入溝４に、釣糸Ｌを挿入することにより、釣糸Ｌの素抜けを防止した状態で、釣針外し具Ａの先端の挿入部１ａを魚Ｆの口腔Ｆａ内に挿入する。この状態では、魚Ｆの口腔Ｆａ内から外に出ている釣糸Ｌは、所定の弛みを有している。
【００１６】
次に、図２−Ａ（ロ）に示されるように、釣針外し具Ａの操作部２を手で掴んだ状態で、釣針外し具Ａを所定方向に回転させると、釣針Ｈから起算して所定部分の釣糸Ｌは、素抜け防止部３の部分から釣針Ｈの側に向けて順次螺旋状となって釣糸巻回部１に巻回されて、釣針Ｈの部分に至ると、図２−Ｂ（ハ）に示されるように、釣糸巻回部１の先端の挿入部１ａと釣針Ｈとが相対的に近接して、釣針Ｈの軸部Ｈａが、釣糸巻回部１の平面部１ｂに対してほぼ直交した状態で交差する〔図２−Ｂ（ニ）参照〕と共に、図３（イ）に示されるように、横断面視において釣針Ｈの軸部ＨａとモドリＨｂとの間に釣糸巻回部１が配置された状態となる。この状態では、釣糸巻回部１に巻回された釣糸Ｌに張力が作用しているために、釣針Ｈは、釣針外し具Ａに対して恰も一体化されたようになる。釣糸Ｌを釣糸巻回部１に巻回させる際に、釣糸巻回部１に対して釣針Ｈが上記のように配置される理由は、釣針Ｈが釣糸Ｌの延長部として巻回される際に、その巻回力により上記配置となるように、釣針Ｈが、自身の軸部Ｈａを中心にして回るように力を受けることが原因である。
【００１７】
次に、釣針Ｈが釣糸巻回部１に恰も一体化された状態において、図３（イ）〜（ハ）に示されるように、釣針外し具Ａを上記と同方向に連続して回転させると、釣針Ｈは、恰も人手により釣針を外されるように、釣針外し具Ａを中心として回されて、魚Ｆの口腔Ｆａ内の肉部Ｆｂからスムーズに外される。なお、上記した釣針Ｈを外す際に、必要に応じて釣針外し具Ａの先端部である釣糸巻回部１の挿入部１ａを僅かに長手方向と直交する方向〔図３（ロ）で矢印Ｐで示される方向）に移動させると、釣針外し具Ａの先端の挿入部１ａの動きが人手による動きに近くなって、釣針Ｈは一層スムーズに外される。
【００１８】
また、釣針外し具の釣糸巻回部の横断面形状は、上記したように、釣針Ｈの軸部Ｈａが安定して当接する平面部を有しておれば、方形以外の形状、三角形状であってもよい。また、釣針外し具の釣糸巻回部に設けられる素抜け防止部の構造は、釣糸を釣糸巻回部に巻回させる際に、素抜けるのを防止できればよいので、例えば、釣糸を巻き付けて素抜けを防止する構造であってもよい。
【図面の簡単な説明】
【００１９】
【図１】本発明に係る釣針外し具Ａに、釣針Ｈから起算して所定長の部分の釣糸Ｌが螺旋状に巻回された状態の斜視図である。
【図２−Ａ】（イ）は、釣り上げられた魚Ｆの口腔Ｆａ内に釣針外し具Ａを挿入した状態の模式図であり、（ロ）は、魚Ｆの口腔Ｆａ内に挿入された外し具Ａを回転させて、釣針Ｈから起算して所定長の部分の釣糸Ｌを釣針外し具Ａに螺旋状に巻回させた状態の模式図である。
【図２−Ｂ】（ハ）は、釣針Ｈから起算して所定長の釣糸Ｌの全てが釣針外し具Ａに巻回されて、釣針Ｈの軸部Ｈａが釣針外し具Ａに対して交差を開始した状態の模式図であり、（ニ）は、同じくほぼ直交して交差した状態の模式図である。
【図３】（イ）は、釣針外し具Ａを中心にして釣針Ｈが回転を開始した状態の模式的横断面図であり、（ロ）は、釣針Ｈが外れる直前の模式的断面図であり、（ハ）は、釣針Ｈが外れた状態の模式的断面図である。
【符号の説明】
【００２０】
Ａ：釣針外し具
Ｆ：魚
Ｆａ：魚の口腔
Ｆｂ：魚の肉部
Ｈ：釣針
Ｈａ：釣針の軸部
１：釣糸巻回部
１ａ：挿入部
１ｂ：平面部
２：操作部
３：素抜け防止部
４：釣糸挿入溝
【図１】
2005304351.tif 000003
【図２−Ａ】
2005304351.tif 000004
【図２−Ｂ】
2005304351.tif 000005
【図３】
2005304351.tif 000006